(57)【特許請求の範囲】
【請求項１】
車体前部に配備された運転用の前搭乗部と、前記前搭乗部の後方に配備され、後部座席を有した後搭乗部と、車体フレームに支持され、前記前搭乗部の居住用の前搭乗部空間、及び前記後搭乗部の居住用の後搭乗部空間を形成するロプスと、車体後部に配備された荷台とを備え、
前記荷台は、前端側が前記後搭乗部空間よりも後方に位置した第１状態と、前記前端側が前記後搭乗部空間に入り込んだ第２状態とに切換え自在に構成してあり、
前記ロプスは、車体側面視で、前記第１状態及び前記第２状態の前記荷台と重ならないように構成してある作業車。
【請求項２】
前記ロプスは、前記前搭乗部空間及び前記後搭乗部空間の上方に車体前後向きに位置する上フレームと、前記前搭乗部空間のうちの前側部位の車体両横外側に分かれて位置し、前記上フレームの前端側を支持する左右一対の車体上下向きの前支柱と、前記前搭乗部と前記後搭乗部との間の車体両横外側に分かれて位置し、前記上フレームの前後方向での中間部を支持する左右一対の車体上下向きの後支柱と、を備えている請求項１に記載の作業車。
【請求項３】
前記後支柱は、前記第２状態での前記荷台の前端よりも前方に位置している請求項２に記載の作業車。
【請求項４】
前記後支柱は、前記後部座席よりも前方に位置している請求項２に記載の作業車。
【請求項５】
前記後支柱の下端側部と、前記上フレームのうちの前記後支柱に対する連結箇所よりも後方の部位とにわたり、補強フレームを連結してある請求項２〜４のいずれか一項に記載の作業車。
【請求項６】
前記後部座席を、前記後搭乗部空間のうちの後寄りの座席用部位に保持された使用状態と、前記後搭乗部空間のうちの前記座席用部位よりも前方の部位に保持された格納状態とに切換え自在に構成し、
前記第２状態での前記荷台の前端側が、前記後部座席が前記格納状態に切換えられて空いた前記座席用部位に入り込むように構成してある請求項１〜５のいずれか一項に記載の作業車。
【発明の詳細な説明】
【技術分野】
【０００１】
本発明は、車体前部に配備された運転用の前搭乗部と、前記前搭乗部の後方に配備され、後部座席を有した後搭乗部と、車体フレームに支持され、前記前搭乗部の居住用の前搭乗部空間、及び前記後搭乗部の居住用の後搭乗部空間を形成するロプスと、車体後部に配備された荷台とを備え、前記荷台は、前端側が前記後搭乗部空間よりも後方に位置した第１状態と、前記前端側が前記後搭乗部空間に入り込んだ第２状態とに切換え自在に構成してある作業車に関する。
【背景技術】
【０００２】
上記した作業車は、後搭乗部空間を荷台収容空間に活用できるようにしたものである。この種の作業車として、従来、たとえば特許文献１に記載された作業車があった。特許文献１に記載された作業車は、運転部のうちの前部運転座席を有した部分（前搭乗部に相当）と、運転部のうちの後部座席を有した部分（後搭乗部に相当）と、ロプスと、短縮状態(第1状態に相当)と延長状態(第２状態に相当)とに切換え自在な荷台と、を備えている。
【先行技術文献】
【特許文献】
【０００３】
【特許文献１】特開２０１１−１１６３１８号公報
【発明の概要】
【発明が解決しようとする課題】
【０００４】
従来の技術の場合、荷台を第２状態に切換えた際、荷台の前端側がロプスに備えられた後部支柱のうちの左右一対の車体上下向き部分の間に入り込み、殊に荷台に対する荷物の載せ降ろしを車体横側から行う際、後部支柱の車体上下向き部分が障害になり易い。
【０００５】
本発明の目的は、ロプスを備えるものでありながら、荷台に対する荷物の載せ降ろしがし易い作業車を提供することにある。
【課題を解決するための手段】
【０００６】
本第1発明による作業車は、
車体前部に配備された運転用の前搭乗部と、前記前搭乗部の後方に配備され、後部座席を有した後搭乗部と、車体フレームに支持され、前記前搭乗部の居住用の前搭乗部空間、及び前記後搭乗部の居住用の後搭乗部空間を形成するロプスと、車体後部に配備された荷台とを備え、
前記荷台は、前端側が前記後搭乗部空間よりも後方に位置した第１状態と、前記前端側が前記後搭乗部空間に入り込んだ第２状態とに切換え自在に構成してあり、
前記ロプスは、車体側面視で、前記第１状態及び前記第２状態の前記荷台と重ならないように構成してあることを特徴とする。
【０００７】
本第１発明の構成によると、荷台を第１状態と第２状態とのいずれに切り換えても、ロプスが車体側面視で荷台とが重ならないことにより、荷台の横外側にロプスが存在しない。
【０００８】
従って、本第１発明によると、ロプスを備えるものでありながら、荷台を第１状態と第２状態のいずれに切り換えた場合でも、荷台に対する荷物の載せ降ろしを車体の横側から行う場合でも、ロプスが障害物にならなくて作業し易い。
【０００９】
本第２発明では、前記ロプスは、前記前搭乗部空間及び前記後搭乗部空間の上方に車体前後向きに位置する上フレームと、前記前搭乗部空間のうちの前側部位の車体両横外側に分かれて位置し、前記上フレームの前端側を支持する左右一対の車体上下向きの前支柱と、前記前搭乗部と前記後搭乗部との間の車体両横外側に分かれて位置し、前記上フレームの前後方向での中間部を支持する左右一対の車体上下向きの後支柱と、を備えている。
【００１０】
本第２発明によると、上フレームを前支柱及び後支柱によって支持させながら、後支柱を後搭乗部空間よりも前方に位置させることができ、荷台を第１状態と第２状態とのいずれに切換えても、後支柱が荷台の横側に存在しなくて荷物の載せ降ろしに対する障害になり難い。
【００１１】
本第３発明では、前記後支柱は、前記第２状態での前記荷台の前端よりも前方に位置している。
【００１２】
本第３発明によると、荷台を第１状態と第２状態とのいずれに切換えても、後支柱が荷台よりも前方に位置して荷物の載せ降ろしに対する障害になり難い。
【００１３】
本第４発明では、前記後支柱は、前記後部座席よりも前方に位置している。
【００１４】
本第４発明によると、後支柱が荷台に対する荷物の載せ降ろしに対する障害物になりにくいのみならず、後部座席と後支柱との間を通り易くできる。すなわち、後搭乗部に対する乗り降りをし易くできる。
【００１５】
本第５発明では、前記後支柱の下端側部と、前記上フレームのうちの前記後支柱に対する連結箇所よりも後方の部位とにわたり、補強フレームを連結してある。
【００１６】
本第５発明によると、上フレームを支持するための後支柱の支持強度を補強フレームによって向上でき、後支柱による上フレームの支持を強固に行なわせられる。
【００１７】
本第６発明では、前記後部座席を、前記後搭乗部空間のうちの後寄りの座席用部位に保持された使用状態と、前記後搭乗部空間のうちの前記座席用部位よりも前方の部位に保持された格納状態とに切換え自在に構成し、前記第２状態での前記荷台の前端側が、前記後部座席が前記格納状態に切換えられて空いた前記座席用部位に入り込むように構成してある。
【００１８】
後部座席が使用状態にあるままの後搭乗部空間に第２状態での荷台の前端側が入り込む場合、後部座席のために荷台の取付け高さを高くする必要がある。荷台の取付高さを低くすると、後部座席が荷台を後搭乗部空間へ入り込ませることの障害物になり、荷台の後搭乗部空間への入り込み長さをあまり長くできない。
【００１９】
本第６発明によると、後部座席が格納状態に切換えられて空いた座席用部位に第２状態での荷台の前端側が入り込むことにより、荷台の取付け高さを低くして、荷物の載せ降ろしを行い易くできる。さらに、荷台の後搭乗部空間への入り込み長さを長くすることができ、後搭乗部空間を前後に広い範囲にわたって荷台収容空間に活用できる。
【図面の簡単な説明】
【００２０】
【図１】荷台を第１状態に切換えた状態での作業車の全体を示す側面図である。
【図２】荷台を第２状態に切換えた状態での作業車の全体を示す側面図である。
【図３】荷台を第１状態に切換えた状態での作業車の全体を示す平面図である。
【図４】後部座席及び仕切り部材を示す側面図である。
【図５】ロプスを示す斜視図である。
【図６】第１状態での荷台を示す斜視図である。
【図７】第２状態での荷台を示す斜視図である。
【図８】荷台の切換え要領を示す説明図である。
【図９】第１の別実施構造を備えた作業車の全体を示す側面図である。
【図１０】第２の別実施構造を備えた作業車の全体を示す側面図である。
【発明を実施するための形態】
【００２１】
以下、本発明の実施の形態を図面に基づいて説明する。
図１，３に示すように、本発明の実施例に係る作業車は、車体フレーム１の下部に左右一対の前車輪２，２、及び左右一対の後車輪３，３が装備された走行車体を備えている。走行車体の前端部に、左右一対の前照灯４が備えられた前カバー５を設けてある。走行車体のうちの前カバー５よりも後方の部位に、ロプス６が備えられた搭乗部７を設けてある。走行車体の後部に荷台８を配備してある。
【００２２】
走行車体は、前車輪２と後車輪３との間の部位に設けられたエンジン９を備え、エンジン９が出力する駆動力を走行ミッション１０に入力して変速し、変速した後の駆動力によって前車輪２及び後車輪３を駆動するように、４輪駆動型に構成してある。
【００２３】
搭乗部７について説明する。
搭乗部７は、ロプス６を備える他、搭乗部７のうちの前側部分に配備され、かつ居住用の前搭乗部空間１３ａがロプス６によって形成された前搭乗部１３と、前搭乗部１３の後方に配備され、かつ居住用の後搭乗部空間１４ａがロプス６によって形成された後搭乗部１４と、ロプス６の上フレーム５０に上端側が支持され、前搭乗部空間１３ａ及び後搭乗部空間１４ａを後方の荷物搭載空間と仕切る仕切り部材１５とを備えている。
【００２４】
前搭乗部空間１３ａの左領域に運転座席１６を設け、運転座席１６の前方に左右一対の前車輪２，２を操向操作するステアリングホィール１７を設け、前搭乗部１３を運転用の搭乗部に構成してある。
【００２５】
前搭乗部１３は、前搭乗部空間１３ａの右領域に設けられた前部座席１８を備え、二人乗りが可能になっている。運転座席１６と前部座席１８とは、運転座席用と前部座席用とに別々に作製された座部及び背当て部を備え、別々の座席になっている。
【００２６】
後搭乗部１４には、後部座席１９を設けてある。後部座席１９は、二人掛けが可能な横長座席に構成してあり、後搭乗部１４は、二人乗りが可能になっている。
【００２７】
後部座席１９は、図４に二点鎖線で示す使用状態と、図４に実線で示す格納状態とに切換え自在に構成してある。後部座席１９は、具体的には、次の如く構成してある。
【００２８】
後部座席１９は、横長の座部１９ａと、横長の背当て部１９ｂとを備えている。
座部１９ａは、前端側に設けた取付部材２０を介し、後部座席支持部材２１に設けた支持部２２に支持してある。座部１９ａは、取付部材２０と支持部２２を連結する連結軸の軸芯まわりに前後方向に揺動操作できるようになっている。座部１９ａは、前後方向に揺動操作することにより、後部座席支持部材２１の天板上に設定した使用位置と、運転座席１６及び前部座席１８の背面側に設定した格納位置とに切り換わる。座部１９ａは、使用位置と格納位置とに切り換えることにより、後部座席支持部材２１の天板部に設けてある点検開口を開閉するように構成してある。後部座席支持部材２１は、エンジン９を収容しており、エンジンボンネットの機能を備えている。つまり、座部１９ａは、後部座席支持部材２１の内部やエンジン９を点検や修理するための点検開口の蓋体の機能を備えている。
【００２９】
背当て部１９ｂは、後部座席１９の両横側に振り分け配置した左右一対の肘乗せ部材２３，２３の上端部と、仕切り部材１５の下端部とに連結してある。左右一対の肘乗せ部材２３，２３それぞれの下端部は、後部座席支持部材２１に回転するように支持されている。左右一対の肘乗せ部材２３，２３それぞれの上端部は、背当て部１９ｂの背面側に設けた連結部材に回転するように連結してある。仕切り部材１５の上端側は、ロプス６の上フレーム５０から下向きに前後揺動するように延出された左右一対の支持アーム２４の延出端部に回転するように連結してある。仕切り部材１５の下端側は、背当て部１９ｂの背面側に設けた連結部材２５に連結してある。仕切り部材１５の下端側は、連結部材２５に備えてある長孔形状の連結孔にスライドするように、かつ回転するように連結してある。図５に示すように、仕切り部材１５は、車体横向きの枠体と車体上下向きの枠体とを連結することによって作製された仕切りフレームと、仕切りフレームに張設された網状部材１５ａとを備えている。
【００３０】
つまり、背当て部１９ｂを前後方向に移動操作すると、肘乗せ部材２３が後部座席支持部材２１に対する連結点を揺動支点にして前後揺動する。また、仕切り部材１５が支持アーム２４を上フレーム５０に対する連結点を揺動支点にして前後揺動させながら、後搭乗部空間１４ａを前後移動する。これにより、背当て部１９ｂは、前後方向に移動操作することにより、座部１９ａの使用位置の上方に設定した使用位置と、座部１９ａの格納位置の上方に設定した格納位置とにわたって移動する。
【００３１】
図１，４に示すように、後部座席１９は、座部１９ａ及び背当て部１９ｂを使用位置に位置変更し、使用位置に図示しないロック手段によって固定することにより、後搭乗部空間１４ａのうちの後寄りの座席用部位に保持されて、使用状態になる。後部座席１９を使用状態にすることにより、作業車は、前搭乗部１３及び後搭乗部１４への搭乗が可能な二列座席仕様になる。後部座席１９を使用状態に切換える操作により、仕切り部材１５を後搭乗部１４の後端部に設定した二列座席仕様のための後仕切り位置、すなわち、後搭乗部空間１４ａを後方の荷物搭載空間と仕切るための後仕切り位置に移動操作できる。
【００３２】
図２，４に示すように、後部座席１９は、座部１９ａ及び背当て部１９ｂを格納位置に位置変更し、格納位置に図示しないロック手段によって固定することにより、後搭乗部空間１４ａのうちの座席用部位よりも前方の部位に保持されて、格納状態になる。後部座席１９を格納状態に切り換えることにより、作業車は、前搭乗部１３と後搭乗部１４のうちの前搭乗部１３だけに搭乗が可能な一列座席仕様になる。後部座席１９を格納状態に切換える操作により、仕切り部材１５を後搭乗部空間１４ａのうちの前寄り部位に設定した一列座席仕様のための前仕切り位置、すなわち、前搭乗部空間１３ａを後方の荷物搭載空間と仕切るための前仕切り位置に移動操作できる。
【００３３】
荷台８について説明する。
図１に示すように、荷台８は、後端側に配置した車体横向きのダンプ支点軸３０を介して車体に上下揺動するように支持してある。荷台８は、荷台８の下面側と車体フレーム１とにわたって装着してある昇降シリンダ３１により、車体上に水平又はほぼ水平に位置した積載姿勢と、前端側が車体から上方に高く上昇したダンプ姿勢とにわたって昇降操作できるようになっている。
【００３４】
図２，７に示すように、荷台８は、昇降シリンダ３１が下面側に連結された底板部３４を有した荷台本体３３と、前記底板部３４の前端側に後端側が連結された拡張底板部４１を有した拡張荷台部４０とを備えている。
【００３５】
荷台本体３３は、底板部３４を備える他、底板部３４の後端部に連結された後側板部３５と、底板部３４の両横端部に連結された横側板部３６とを備えている。
【００３６】
拡張荷台部４０は、拡張底板部４１を備える他、拡張底板部４１の前端側に軸芯４２ａ〔図８（Ｂ）参照〕まわりに起伏揺動するように連結された前側板部４２と、荷台本体３３の左右の横側板部３６それぞれの前端側に軸芯４３ａ〔図８（Ａ）参照〕まわりに荷台横方向に揺動するように連結された拡張横側板部４３とを備えている。拡張底板部４１を、荷台本体３３の底板部３４に対して軸芯４１ａ〔図８（Ｃ）参照〕まわりに起伏揺動するように構成し、拡張荷台部４０を、図１，６に示す折りたたみ状態と、図２，７に示す伸展状態とに切換え可能に構成してある。
【００３７】
図８は、荷台８の切換え要領を示す説明図である。図８（Ａ）に示す拡張荷台部４０は、伸展状態の拡張荷台部である。図８（Ｄ）に示す拡張荷台部４０は、折りたたみ状態の拡張荷台部である。図８（Ｂ）に示すように、左右の拡張横側板部４３を、荷台内側に向けて揺動操作して、底板部３４の前端縁に沿った折りたたみ姿勢にする。次に、図８（Ｃ）に示すように、前側板部４２を、拡張底板部４１の上面側に向けて倒伏揺動操作して、拡張底板部４１の上面に重なった折りたたみ姿勢にする。次に、図８（Ｄ）に示すように、拡張底板部４１を、折りたたみ姿勢の拡張横側板部４３に向けて起立揺動操作して、拡張横側板部４３の外面に重なった折りたたみ姿勢にすれば、拡張荷台部４０を折りたたみ状態に切り換えられる。
【００３８】
荷台８は、拡張荷台部４０を折りたたみ状態に切り換えることにより、拡張荷台部４０の折りたたみのために、前後長さが短縮した第１状態に切り換わる。拡張荷台部４０の折りたたみ状態として、左右の拡張横側板部４３が拡張底板部４１よりも荷台内側に位置した折りたたみ状態を採用してあるので、左右の拡張横側板部４３が拡張底板部４１よりも荷台外側に位置した折りたたみ状態を採用するのに比べ、第１状態での荷台８の前後長さを、拡張横側板部４３の板厚によって決まる分、より短くできる。
【００３９】
図１，３に示すように、荷台８は、第1状態に切り換えると、前後長さの短縮のために、前端側が後搭乗部空間１４ａよりも後方に位置した状態になり、作業車を二列座席仕様にできる。
【００４０】
図８（Ｃ）に示すように、拡張底板部４１を、前方に倒伏揺動操作して、底板部３４と面一又はほぼ面一に並んだ伸展姿勢にする。次に、図８（Ｂ）に示すように、前側板部４２を、起立揺動操作して、拡張底板部４１の前端部から立ち上がった伸展姿勢にする。次に、図８（Ａ）に示すように、左右の拡張横側板部４３を、荷台外側に向けて揺動操作して、横側板部３６と面一又はほぼ面一に並んだ伸展姿勢にすれば、拡張荷台部４０を伸展状態に切り換えられる。
【００４１】
荷台８は、拡張荷台部４０を伸展状態に切り換えることにより、拡張荷台部４０の伸展のために、前後長さが伸長した第２状態に切り換わる。
【００４２】
図２に示すように、荷台８は、第２状態に切り換えると、前後長さの伸長のために、前端側が後搭乗部空間１４ａに入り込んだ状態になる。このとき、後部座席１９を格納状態に切換えておき、かつ仕切り部材１５を一列座席仕様のための前仕切り位置に移動させておき、荷台８の前端側が後搭乗部空間１４ｂに入り込むことを可能にする。荷台８の前端側は、後搭乗部空間１４ａのうち、後部座席１９を格納状態に切換えて空いた座席用部位（使用状態の後部座席１９が存在する部位）に入り込む。
【００４３】
図７に示すように、荷台８の内側に、８個のロープ掛け用のフック４５，４６を設けてある。８個のフック４５，４６は、底板部３４の左右端部における前後方向での２箇所と、拡張底板部４１の左右端部における前後方向での２箇所とに振り分けて配備してある。拡張底板部４１の左右端部に配備した２個のフック４５，４６のうちの底板部３４に近い方のフック４６は、荷台８を第１状態に切換えた状態での拡張底板部４１のうちの前側板部４２と拡張横側板部４３との隙間に位置する。
【００４４】
ロプス６について説明する。
図１，３，５に示すように、ロプス６は、前搭乗部空間１３ａ及び後搭乗部空間１４ａの上方に車体前後方向に位置する上フレーム５０と、前搭乗部空間１３ａの前端部の車体両横外側に振り分けて配置された左右一対の車体上下向きの前支柱５１，５１と、前搭乗部１３と後搭乗部１４との間の車体両横外側に振り分けて配置された左右一対の車体上下向きの後支柱５２，５２とを備え、車体側面視で第１状態及び第２状態の荷台８と重ならない構造になっている。
【００４５】
前支柱５１及び後支柱５２について詳述する。
左右一対の前支柱５１，５１の上端側が上フレーム５０の前端側の両横端部に各別に連結され、左右一対の前支柱５１，５１の下端側が車体フレーム１に備えられた左右一対の車体上下向きの前支持フレーム１Ｆ，１Ｆの上端側に各別に連結されており、左右一対の前支柱５１，５１は、上フレーム５０の前端側を支持し、かつロプス６の前端側を車体フレーム１に支持している。
【００４６】
左右一対の後支柱５２，５２の上端側が上フレーム５０の中間部の両横端部に各別に連結されており、左右一対の後支柱５２，５２の下端側が車体フレーム１に備えられた左右一対の車体上下向きの後支持フレーム１Ｒ，１Ｒの上端側に各別に連結されており、左右一対の後支柱５２，５２は、上フレーム５０の中間部を支持し、かつロプス６の後端側を車体フレーム１に支持している。
【００４７】
車体左右側それぞれの前支持フレーム１Ｆと後支持フレーム１Ｒとは、前後両端側が車体上下向きになり、中間部が車体前後向きになるように曲げ成形された一つのフレーム部材によって構成してある。
【００４８】
図２に示すように、左右の後支柱５２は、第２状態での荷台８の前端よりも前方に位置している。図１に示すように、左右の後支柱５２は、使用状態での後部座席１９よりも前方に位置し、後部座席１９と後支柱５２との間を通り易くしている。
【００４９】
図１，5に示すように、左右の後支柱５２それぞれにおいて、後支柱５２の下端側と、上フレーム５０のうちの後支柱５２に対する連結箇所よりも後方の部位とにわたり、補強フレーム５３を連結してある。左右の補強フレーム５３の下端部どうしを、横向き連結フレーム５４によって連結してある。
【００５０】
上フレーム５０について詳述する。
図３，５に示すように、上フレーム５０は、左右一対の前後向きのメインフレーム６０，６０と、左右のメインフレーム６０の前端部を連結する横向きの前連結フレーム６１と、左右のメインフレーム６０，６０の後端部を連結する横向きの後連結フレーム６２と、左右のメインフレーム６０，６０の前後方向での中間部を連結する横向きの中連結フレーム６３とを備えている。
【００５１】
中連結フレーム６３の左端寄りの部位と、左のメインフレーム６０の前端側部位とを、斜め姿勢の左連結フレーム６４によって連結してある。中連結フレーム６３の右端寄りの部位と、右のメインフレーム６０の前端側部位とを、斜め姿勢の右連結フレーム６５によって連結してある。中連結フレーム６３と後連結フレーム６２との中間部どうしを、前後向きの後中連結フレーム６６によって連結してある。
【００５２】
左右のメインフレーム６０は、メインフレーム６０のうちの後支柱連結箇所よりも前側の部分６０Ｆを構成するフレーム材と、メインフレーム６０のうちの後支柱連結箇所よりも後側の部分６０Ｒを構成するフレーム材とを連結部材６７によって連結することによって構成してある。
【００５３】
ロプス６の左右側それぞれにおける前支柱５１と、後支柱５２と、メインフレーム６０のうちの前側の部分６０Ｆとを、前端側が前支柱５１になり、後端側が後支柱５２になり、中間部がメインフレーム６０の前側の部分６０Ｆになるように曲げ成形した一つのフレーム材によって構成してある。左右のメインフレーム６０の後側の部分６０Ｒと、後連結フレーム６２とを、両端側がメインフレーム６０の後側の部分６０Ｒになり、中間部が後連結フレーム６２になるように曲げ成形した一つのフレーム材によって構成してある。
【００５４】
〔別実施形態〕
（１）図９は、第１の別実施構造を備えた作業車の全体を示す側面図である。第１の別実施構造を備えた作業車では、前搭乗部１３及び後搭乗部１４を有した搭乗部７を備え、荷台８を第２状態に切り換える機能を備えず、二列座席仕様専用の作業車に構成してある。この作業車のロプス６は、図１，３，５に示したロプス６と同じ構成を備えている。
【００５５】
（２）図１０は、第２の別実施構造を備えた作業車の全体を示す側面図である。第２の別実施構造を備えた作業車では、後搭乗部を備えずに、前搭乗部１３に対応する運転用の搭乗部７０を備え、一列座席仕様専用の作業車に構成してある。この作業車のロプス６は、図１，３，５に示したロプス６と同じ構成を備えている。荷台８は、ロプス６のうちの後支柱５２よりも後方の部分６Ｒの下方に前端側が入り込むように構成してある。
この作業車の場合、ロプス６が備える上フレーム５０のうちの後支柱５２よりも後方の部分６Ｒ、すなわち、左右のメインフレーム６０の後側の部分６０Ｒ、後連結フレーム６２を備える部分を脱着自在に構成すると、荷台８の上方を開放することができ、有利である。また、上フレーム５０のうちの後支柱５２よりも後方の部分６Ｒを、前方へ折りたたむように構成してもよい。
【００５６】
（３）上記した実施例では、荷台８の第１状態と第２状態との切換えを可能にするのに、折りたたみ構造の拡張荷台部４０を採用した例を示したが、荷台本体３３に前後方向にスライドするように支持され、荷台本体３３から前方への突出長さの調節ができる拡張荷台部を採用して実施してもよい。
【００５７】
（４）上記した実施例では、荷台の前後長さを変更することによって荷台８を第１状態と第２状態とに切り換えるように構成した例を示したが、荷台８の前後長さを変更せず、荷台８の全体を車体に対して前後にスライドさせることによって荷台８を第１状態と第２状態とに切り換えるように構成して実施してもよい。
【００５８】
（５）上記した実施例では、後部座席１９を格納状態に切換えて空いた座席用部位に荷台８の前端側が入り込むよう構成した例を示したが、後部座席１９を使用状態にしたままの後搭乗部空間１４ａに荷台８の前端側が入り込むように構成して実施してもよい。
【００５９】
（６）上記した実施例では、後部座席１９を使用状態と格納状態とに切り換える操作によって仕切り部材１５を前後移動させるよう構成した例を示したが、後部座席１９を使用状態と格納状態とに切り換える操作と、仕切り部材１５を前後移動させる操作とを別々に行なうように構成して実施してもよい。
【００６０】
（７）上記した実施例では、後支柱５２が後部座席１９よりも前方に位置するよう構成した例を示したが、後部座席１９を使用状態にしたままの後搭乗部空間１４ａに荷台８の前端側が入り込むように構成した場合、後支柱５２が車体側面視で後部座席１９と重なる状態で後部座席１９の横側方に位置するよう構成して実施してもよい。
【００６１】
（８）上記した実施例では、補強フレーム５３を備えた例を示したが、補強フレーム５３を備えずに実施してもよい。
【産業上の利用可能性】
【００６２】
本発明は、前搭乗部１３及び後搭乗部１４それぞれを二人乗りができるように構成した作業車の他、前搭乗部１３及び後搭乗部１４それぞれを二人よりも少ない、あるいは多い人数の搭乗ができるように構成した作業車や、前搭乗部１３と後搭乗部１４に搭乗できる人数が異なる作業車にも利用可能である。
【符号の説明】
【００６３】
１        車体フレーム
６        ロプス
８        荷台
１３      前搭乗部
１３ａ    前搭乗部空間
１４      後搭乗部
１４ａ    後搭乗部空間
１９      後部座席
５０      上フレーム
５１      前支柱
５２      後支柱
５３      補強フレーム
【図１】
0005963724.tif 000002
【図２】
0005963724.tif 000003
【図３】
0005963724.tif 000004
【図４】
0005963724.tif 000005
【図５】
0005963724.tif 000006
【図６】
0005963724.tif 000007
【図７】
0005963724.tif 000008
【図８】
0005963724.tif 000009
【図９】
0005963724.tif 000010
【図１０】
0005963724.tif 000011